(57)【特許請求の範囲】
【請求項１】
Ｘ線発生器と、Ｘ線発生器を取り付けた自在アームと、前記Ｘ線発生器の照射時間や出力を制御する装置本体制御装置とを備えるＸ線撮影装置本体と、
予め特定された口腔内部位に対して位置決めされ、口腔内部位を通過したＸ線像を検出するためのＸ線撮影用検出器と、
前記Ｘ線撮影用検出器からの信号が与えられるコンピュータ装置と、を備え、
前記コンピュータ装置と装置本体制御装置とが通信線で接続され、
前記コンピュータ装置は、撮影部位が特定されると、特定された撮影部位に応じた撮影条件を設定し、設定された撮影条件を装置本体制御装置へ送出し、前記装置本体制御装置は、受け取った撮影条件に基づきＸ線発生器の照射時間、出力を制御するとともに、前記Ｘ線撮影用検出器を撮影待機状態にするように制御し、前記Ｘ線撮影用検出器が撮影待機状態であることを前記装置本体制御装置へ通知して、撮影待機状態の時のみに、前記Ｘ線発生器からＸ線が照射されることを特徴とする歯科用デジタルＸ線撮影装置。
【請求項２】
前記Ｘ線撮影用検出器はＣＣＤセンサを備えてなることを特徴とする請求項１に記載の歯科用デジタルＸ線撮影装置。
【請求項３】
前記コンピュータ装置は、種々の操作データを入力する入力装置、操作画面や撮影したＸ線画像を表示する表示装置を備え、前記表示装置には、部位やそれに類するボタン、キーが表示され、その表示に従い前記入力装置から操作情報が与えられることを特徴とする請求項１又は請求項２に記載の歯科用デジタルＸ線撮影装置。
【請求項４】
前記表示装置は、部位を仮選択した状態を示す表示と、部位を特定した表示とを前記入力装置からの指示により切り換えられることを特徴とする請求項３に記載の歯科用デジタルＸ線撮影装置。
【発明の詳細な説明】
【技術分野】
【０００１】
この発明は、口内法歯科Ｘ線撮影法によって撮影する歯科用デジタルＸ線撮影装置に関するものである。
【背景技術】
【０００２】
歯科における一般的なデジタルＸ線撮影方法は、ＣＣＤセンサなどのイメージングデバイスを口腔内に設定するか、口腔外に設定するかによって口内法と口外法とに大別される。
【０００３】
口内法は、歯及び歯周組織の鮮明なＸ線画像を得るための方法で、最も活用されるのはデンタル撮影と呼ばれる撮影法である。
【０００４】
従来、デンタル撮影では、４１×３１ｍｍ程度の小さなＸ線フィルムを用い、歯が実際の長さと略同じになるようにし、しかも隣接する歯が重ならないように撮影が行われる。
【０００５】
Ｘ線フィルムの代わりに、ＣＣＤセンサやイメージングプレートを用いたデジタルＸ線撮影装置が普及している。ＣＣＤセンサは、入射Ｘ線により生じた電荷を、半導体表面に沿って転送していく素子で、センサ部と走査部を一体とした固体撮像素子である。そして、ＣＣＤセンサ部からの信号は、ケーブルを介して外部のパーソナルコンピュータに与えられ、パーソナルコンピュータで画像化され、モニタ等にＸ線画像が表示されるものである。
【０００６】
イメージングプレートは、ポリエステルのベースの上にバリウムフロロハライド化合物の結晶を塗布したものである。Ｘ線が入射すると電子が結晶中に形成されていたハロゲンイオンＦ＋のホールに捕獲され、準安定状態の色中心（Ｆ中心）が形成され、Ｘ線エネルギーが画像情報としてアナログ的に蓄積される。そして、撮影後に、この色中心に二次励起光（読取り光）のレーザー光をスポット照射すると、励起されてエネルギーが放出され、そのスポットに記憶されていたＸ線量を、光量センサで測定することができ、その信号をデジタル量に変換してデジタル画像を得るものである。
【０００７】
ＣＣＤセンサをデンタル撮影に用いたデジタルＸ線撮影装置としては、特許文献１に開示されている。
【先行技術文献】
【特許文献】
【０００８】
【特許文献１】特開２００５−３１２８０５号公報
【発明の概要】
【発明が解決しようとする課題】
【０００９】
Ｘ線撮影装置は、撮影する部位や大人、子供の違いにより、Ｘ線照射出力や照射時間等が異なる。従来のデンタル撮影に用いたデジタルＸ線撮影装置は、Ｘ線撮影装置本体部でＸ線照射出力や照射時間を設定している。
【００１０】
ところで、ＣＣＤセンサは待機状態に設定した後に、Ｘ線照射を行わないと、ＣＣＤセンサから正確な情報を得ることができない。従来は、Ｘ線撮影本体部とＣＣＤセンサとがリンクしておらず、ＣＣＤセンサが待機状態であるか否か撮影装置本体では判断できない。
【００１１】
このため、誤ってＣＣＤセンサが待機状態になっていない状態でＸ線照射を行ってしまうことがあり、正確な画像が得られないばかりか、ＣＣＤセンサを待機状態に設定した後に、再度Ｘ線照射を行う必要がある。このような再撮の可能性が問題として指摘されている。
【００１２】
再撮は、検査時間が長くかかるばかりか、被験者への被曝量も増えるなどの問題があった。
【００１３】
この発明は、上記した従来の問題点を解消するためになされたもので、Ｘ線照射条件の設定が容易で、正確な画像が得られる歯科用デジタルＸ線撮影装置を提供することを目的とする。
【課題を解決するための手段】
【００１４】
この発明の歯科用デジタルＸ線撮影装置は、Ｘ線発生器と、Ｘ線発生器を取り付けた自在アームと、前記Ｘ線発生器の照射時間や出力を制御する装置本体制御装置とを備えるＸ線撮影装置本体と、Ｘ線像を検出するためのＸ線撮影用検出器と、前記Ｘ線撮影用検出器からの信号が与えられるコンピュータ装置と、を備え、前記コンピュータ装置と装置本体制御装置とが通信線で接続され、コンピュータ装置から撮影する部位に応じた撮影条件を装置本体制御装置へ送出し、前記装置本体制御装置は、受け取った撮影条件に基づきＸ線発生器の照射時間、出力を制御することを特徴とする。
【００１５】
前記Ｘ線撮影用検出器はＣＣＤセンサを備え、前記コンピュータ装置は、撮影する部位に応じた撮影条件を装置本体制御装置へ送出するとともに、前記Ｘ線撮影用検出器のＣＣＤセンサを撮影待機状態にするように制御するように構成することができる。
【００１６】
また、前記Ｘ線撮影用検出器のＣＣＤセンサを撮影待機状態であることを前記装置本体制御装置へ通知し、撮影待機状態の時に、前記Ｘ線発生器からＸ線が照射されるように構成すればよい。
【００１７】
また、前記コンピュータ装置は、種々の操作データを入力する入力装置、操作画面や撮影したＸ線画像を表示する表示装置を備え、前記表示装置には、部位やそれに類するボタン、キーが表示され、その表示に従い前記入力装置から操作情報が与えられるように構成することができる。
【００１８】
また、前記表示装置は、部位を仮選択した状態を示す表示と、部位を特定した表示とを前記入力装置からの指示により切り換えられるように構成することができる。
【発明の効果】
【００１９】
この発明は、コンピュータ装置から撮影部位等の情報を与えるだけで、Ｘ線撮影装置本体の装置本体制御装置の撮影条件等を設定することができるので、Ｘ線撮影装置本体の操作パネルを用いた操作条件の設定が不要となり、Ｘ線照射の操作も簡略化することができる。
【図面の簡単な説明】
【００２０】
【図１】この発明にかかるデンタルＸ線撮影が可能な歯科用デジタルＸ線撮影装置を示す模式図である。
【図２】この発明にかかる歯科用デジタルＸ線撮影装置の基本構成を説明するブロック図である。
【図３】この発明にかかる歯科用デジタルＸ線撮影装置のコンピュータ装置の表示装置に表示される画面の例を示す模式図である。
【図４】この発明にかかる歯科用デジタルＸ線撮影装置のコンピュータ装置の表示装置に表示される画面の例を示す模式図である。
【図５】この発明にかかる歯科用デジタルＸ線撮影装置のコンピュータ装置の表示装置に表示される画面の例を示す模式図である。
【図６】この発明にかかる歯科用デジタルＸ線撮影装置のコンピュータ装置の表示装置に表示される画面の例を示す模式図である。
【図７】この発明にかかる歯科用デジタルＸ線撮影装置の動作を説明するフロー図である。
【図８】この発明にかかる歯科用デジタルＸ線撮影装置をネットワークに構成した例を示す模式図である。
【図９】この発明にかかる歯科用デジタルＸ線撮影装置をネットワークに構成した他の例を示す模式図である。
【発明を実施するための形態】
【００２１】
以下、被験者（患者）の顎顔面をデンタル撮影する歯科用デジタルＸ線撮影装置の実施の形態について図面を参照しながら詳細に説明する。なお、図中同一または相当部分には同一符号を付し、説明の重複を避けるためにその説明は繰返さない。
【００２２】
図１は、この発明にかかるデンタルＸ線撮影が可能な歯科用デジタルＸ線撮影装置を示す模式図である。この発明にかかる歯科用デジタルＸ線撮影装置１は、Ｘ線撮影装置本体２、Ｘ線撮影用検出器３と撮影用コンピュータ装置５を備える。Ｘ線撮影装置本体２は、装置本体制御装置２０、Ｘ線発生器２１とＸ線発生器２１を取り付けた自在アーム２２を備える。装置本体制御装置２０は、後述するように、Ｘ線発生器２１の出力、照射時間等を制御する。また、装置本体制御装置２０には、操作パネル２５が設けられ、この操作パネル２５を用いて、撮影する部位や大人、子供の違い、Ｘ線照射出力や照射時間を設定できるように構成されている。尚、この発明にかかる歯科用デジタルＸ線撮影装置１は、後述するように、撮影用コンピュータ装置５で撮影する部位、大人、子供の違い、Ｘ線照射出力や照射時間を設定するので、操作パネル２５を省略することもできる。
【００２３】
Ｘ線発生器２１は、自在アーム２２に対して上下揺動自在および水平回転自在に取り付けられ、口腔内部位に向けてＸ線を照射するように、Ｘ線照射筒２１ｄの方向が調整される。
【００２４】
一方、口腔内部位を挟んでＸ線照射筒２１ｄは、予め特定された口腔内部位(対象歯牙)に対して位置決めされ、口腔内部位を通過したＸ線強度分布、すなわち、Ｘ線像を検出するためのＣＣＤセンサからなるＸ線撮影用検出器３に対して対向するように位置決めされる。
【００２５】
Ｘ線撮影用検出器３の撮像面がＸ線照射方向に適切に向くように、被験者Ｏ自身がＸ線撮影用検出器３の位置決め具３２を指で保持するようになっている。Ｘ線撮影用検出器３からの信号は、ケーブル３１を介してパーソナルコンピュータ（ＰＣ）などからなる撮影用のコンピュータ装置５に与えられ、コンピュータ装置５で画像化され、コンピュータ装置５の表示装置５６にＸ線画像が表示される。尚、この実施形態においては、Ｘ線撮影用検出器３とコンピュータ装置５とをケーブル３１で接続しているが、両者を無線で接続することも可能である。
【００２６】
この発明では、Ｘ線撮影装置本体２の装置本体制御装置２０とコンピュータ装置５とがＲＳ２３２Ｃなどの通信線（通信ケーブル）４で接続され、コンピュータ装置５からの制御信号が装置本体制御装置２０に与えられ、撮影部位、撮影時間、出力等が設定されるように構成されている。尚、この実施形態では、装置本体制御装置２０とコンピュータ装置５とを有線の通信ケーブル４で接続しているが無線で両者を接続することも可能である。
【００２７】
次に、この発明の構成につき図２を参照して更に説明する。図２は、この発明にかかる歯科用デジタルＸ線撮影装置の基本構成を説明するブロック図である。装置本体制御装置２０は、Ｘ線撮影装置本体２のＸ線発生器２１のＸ線照射を制御するもので、操作パネル２５または通信ケーブル４を介して撮影用コンピュータ装置５から送られた撮影部位等に基づく撮影時間、照射出力により、Ｘ線発生器２１からＸ線を照射する。
【００２８】
この装置本体制御装置２０は、全体の動作制御を行うＣＰＵで構成された制御ユニット２００、各種信号が与えられる入出力ポート２０１、各種動作を制御するためのプログラム、データを格納するメモリ２０２を備える。更に、装置本体制御装置２０は、Ｘ線発生器２１を駆動制御するＸ線照射制御回路２０３、通信制御回路２０４が設けられている。各回路は入出力ポート２０１を介して制御ユニット２００に接続され、制御ユニット２００と間で信号データの送受が行われる。
【００２９】
入出力ポート２０１には、種々の操作データを入力する操作パネル２５が接続されている。この操作パネル２５は、例えば、タッチパネルで構成され、部位やそれに類するボタン、キーが表示される。
【００３０】
通信制御回路２０４は、撮影用のコンピュータ装置５と接続したＲＣ２３２Ｃ、ＬＡＮやＵＳＢ等の通信ケーブル４と接続され、コンピュータ装置５との間でデータの送受が行われる。この実施形態では、コンピュータ装置５にて種々の操作データを入力し、その操作データが通信ケーブル４を介して通信制御回路２０４から入出力ポート２０１に与えられる。そして、入出力ポート２０１からメモリ２０２、制御ユニット２００に操作データが与えられ、この与えられた操作データに基づき、Ｘ線照射制御回路２０３等を制御ユニット２００が制御し、照射時間、照射出力が制御される。
【００３１】
入出力ポート２０１には、照射ボタン２６が接続され、ドクター（歯科医師）等の撮影者が照射ボタン２６を押すことにより、設定された照射条件に従って、Ｘ線発生器２１からＸ線が照射される。
【００３２】
撮影用のコンピュータ装置５は、全体の動作制御を行うＣＰＵで構成された制御ユニット５０、各種信号が与えられる入出力ポート５１、各種動作を制御するための各種プログラム及び、画像データを格納するメモリ５２を備える。更に、コンピュータ装置５は、装置本体制御装置２０と接続するための通信制御回路５４、Ｘ線撮影用検出器３に接続されたＵＳＢやＬＡＮケーブル３１と接続される通信制御回路５５が設けられている。各回路は入出力ポート５１を介して制御ユニット５０に接続され、制御ユニット５０と間で信号データの送受が行われる。
【００３３】
入出力ポート５１には、種々の操作データを入力するマウス、キーボードからなる入力装置５７、操作画面や撮影したＸ線画像を表示する液晶モニタ等からなる表示装置５６が接続されている。この表示装置５６には、部位やそれに類するボタン、キーが表示され、その表示に従いマウス等の入力装置５７から操作データが入出力ポートを介して接続される。
【００３４】
通信制御回路５４は、装置本体制御装置２０と接続したＲＣ２３２Ｃ、ＬＡＮやＵＳＢ等の通信ケーブル４と接続され、装置本体制御装置２０との間でデータの送受が行われる。この実施形態では、コンピュータ装置５にて種々の操作データを入力し、その操作データが通信ケーブル４を介して装置本体制御装置２０の通信制御回路２０４から入出力ポート２０１に与えられる。そして、入出力ポート２０１からメモリ２０２、制御ユニット２００に操作データが与えられ、この与えられた操作データに基づき、Ｘ線照射制御回路２０３等を制御ユニット２００が制御し、照射時間、照射出力が制御される。
【００３５】
通信制御回路５５は、ケーブル３１と接続され、このケーブル３１を介してＸ線撮影用検出器３と通信制御回路５５と間でデータの送受が行われる。Ｘ線撮影用検出器３からはＸ線投影画像データがコンピュータ装置５の通信制御回路５５、入出力ポート５１を介して制御ユニット５０に与えられる。そして、画像化され、表示装置５６にＸ線画像が表示される。また、コンピュータ装置５からは通信制御回路５５を介してＸ線撮影用検出器３に撮影待機状態に設定するための待機命令を与える。Ｘ線撮影用検出器３５５は、コンピュータ装置５からの待機命令を受けるとＸ線撮影用検出器３のＣＣＤセンサを撮影可能な待機状態に設定し、Ｘ線発生器２１からの露光を受け得る状態となる。
【００３６】
このように、この発明の歯科用デジタルＸ線撮影装置１は、コンピュータ装置５から撮影部位等の情報を与えて、Ｘ線撮影装置本体２の装置本体制御装置２０の撮影条件等を設定する。そして、コンピュータ装置５は装置本体制御装置２０に撮影部位等の情報を与えるとともに、Ｘ線撮影用検出器３に撮影待機状態に設定するための待機命令を与える。Ｘ線撮影用検出器３は、コンピュータ装置５からの待機命令を受けるとＸ線撮影用検出器３のＣＣＤセンサを撮影可能な待機状態に設定し、Ｘ線発生器２１からの露光を受け得る状態に設定される。
【００３７】
ドクター等の撮影者が照射ボタン２６を押し、Ｘ線発生器２１からＸ線を照射する際には、Ｘ線撮影用検出器３のＣＣＤセンサは撮影可能な待機状態になっており、正確なＸ線透過画像を得ることができる。この結果、再撮を未然に防ぐことができる。
【００３８】
また、コンピュータ装置５から撮影部位等の情報を与えるだけで、Ｘ線撮影装置本体２の装置本体制御装置２０の撮影条件等を設定することができるので、装置本体制御装置２０の操作パネル２５を用いた操作条件の設定が不要となり、Ｘ線照射の操作も簡略化できる。このため、この発明では、操作パネル２５を省略することもできる。
【００３９】
次に、この発明の動作につき、図３ないし図７に従い説明する。図３ないし図６は、コンピュータ装置５の表示装置５６に表示される画面の例を示す模式図である。
【００４０】
コンピュータ装置５は、撮影部位を特定する動作の状態に入ると、図３に示すように、表示画面６０に、撮影部位を指定するための各歯の番号を示した模式的なアイコン６１を表示する。更に、表示画面６０には、Ｘ線発生器２１の出力、照射時間、使用するＸ線撮影用検出器３の種類を示す操作状態アイコン６２、大人か子供を区別するアイコン６３、撮影終了ボタン６４、撮影したＸ線画像を表示する表示領域６５、画像編集アイコン６７、撮影者の氏名表示欄６６がそれぞれ表示される。
【００４１】
撮影者は、この表示画面６０にマウス等の入力装置５７を用いて撮像部位を特定する。撮像部位を特定すると、照射時間が自動的に設定され、その時間が操作状態アイコン６２に表示される。この照射時間を増減させる場合には、矢印部分をマウス等でクリックして行う。この図３の例では、出力は６０ｋＶが選択されている。また、この例では、Ｘ線撮影用検出器３として、ＣＣＤセンサを用いていることを示すために、ＣＣＤの箇所が点灯している。
【００４２】
そして、撮影者が撮影する部位をマウス等の入力装置５７を用いて選択すると、図４に示すように、選択した部位の歯のアイコンが点滅する。この図４の例では、左の上側の４番と６番の歯が選択されている。この点滅した状態は仮選択の状態である。
【００４３】
撮影者が選択した部位が間違いなく、撮影する部位を決めると、点滅しているアイコンを更にマウス等の入力装置５７を用いて選択する。この選択により、撮影される部位が特定され、その部位の照射時間等が設定される。そして、この情報が通信制御回路５４から通信ケーブル４を介してＸ線撮影装置本体２の装置本体制御装置２０に与えられる。装置本体制御装置２０は、コンピュータ装置５からの撮影部位等の情報に基づく撮影条件等の情報が与えられ、装置本体制御装置２０の撮影条件等が設定される。そして、コンピュータ装置５は、Ｘ線撮影用検出器３に撮影待機状態に設定するための待機命令を与える。Ｘ線撮影用検出器３は、コンピュータ装置５からの待機命令を受けるとＣＣＤセンサを撮影可能な待機状態に設定する。この図５に示す例では、４番の歯が選択されている。選択された４番は、点滅状態から点灯状態に変化する。また、選択されていない６番は点滅状態である。
【００４４】
続いて、撮影者は、口腔内部位に向けてＸ線を照射するように、Ｘ線照射筒２１ｄの方向を調整する。
【００４５】
一方、口腔内部位を挟んでＸ線照射筒２１ｄと対向する位置に、予めＸ線像を検出するためのＣＣＤセンサからなるＸ線撮影用検出器３が位置決めされている。そして、照射ボタン２６を押すことにより、撮影部位にＸ線が照射されてＸ線像がＸ線撮影用検出器３に撮像され、コンピュータ装置５にその画像データが送られ、表示画面６０の表示領域６５に表示される。その画像データを編集した後、メモリ５２に格納される。照射ボタン２６を押し、Ｘ線発生器２１からＸ線が照射されると、Ｘ線照射中であることを知らせるためにブザーが鳴動するとともにコンピュータ装置５の表示装置５６にもＸ線照射中である旨表示する。従って、照射ボタン２６を押してもブザーの鳴動等がなければ撮影者は、Ｘ線撮影装置本体２の装置本体制御装置２０が条件設定されていないか、Ｘ線撮影用検出器３が待機状態になっていないかが判る。このような場合には、撮影者はコンピュータ装置５から撮影部位の特定動作をやり直してから照射ボタン２６を押すことになる。
【００４６】
そして、４番の歯の撮影が終わると、４番のアイコンは消灯され、６番の歯のアイコンが点滅している。そして、点滅している６番の歯のアイコンを更にマウス等の入力装置５７を用いて選択する。この選択により、撮影される部位が特定され、その部位の照射時間等が設定される。そして、この情報が通信制御回路５４から通信ケーブル４を介してＸ線撮影装置本体２の装置本体制御装置２０に与えられる。装置本体制御装置２０は、コンピュータ装置５からの撮影部位等の情報に基づく撮影条件等の情報が与えられ、装置本体制御装置２０の撮影条件等が設定される。そして、コンピュータ装置５は、Ｘ線撮影用検出器３に撮影待機状態に設定するための待機命令を与える。Ｘ線撮影用検出器３は、コンピュータ装置５からの待機命令を受けるとＣＣＤセンサを撮影可能な待機状態に設定する。
【００４７】
続いて、撮影者は、口腔内部位に向けてＸ線を照射するように、Ｘ線照射筒２１ｄの方向を調整する。
【００４８】
一方、口腔内部位を挟んでＸ線照射筒２１ｄと対向する位置に、予めＸ線像を検出するためのＣＣＤセンサからなるＸ線撮影用検出器３が位置決めされている。そして、照射ボタン２６を押すことにより、撮影部位にＸ線が照射されてＸ線像がＸ線撮影用検出器３に撮像され、コンピュータ装置５に６番の歯の画像データが送られ、表示画面６０の表示領域６５に表示される。その画像データを編集した後、メモリ５２に格納される。このようにして、複数の部位が選択されている場合は、特定した歯のＸ線画像を逐次得ることができる。
【００４９】
図６は、ＣＣＤ待機状態の制限時間を示すインジケータ６８を表示画面６０に表示するように構成したものである。この待機状態の制限状態はＣＣＤセンサ保護のために設定されている。この例では、１８０秒であるが、ＣＣＤセンサの種類によりその時間は前後する。そして、撮影部位を設定して、ＣＣＤセンサを待機状態とすると、このインジケータ６８の表示が開始する。この例では、１８０秒であり、この時間内に撮影者は、照射ボタン２６を押して撮影する。制限時間が経過すると、照射ボタン２６を押しても照射は開始せず、再度設定を行うことになる。
【００５０】
次に、この発明の動作につき、図７の動作フローに従い説明する。まず、撮影者がコンピュータ装置５の表示画面６０を参照して、撮影部位をマウス等の入力装置５７を用いて選択すると（ステップＳ１）、制御ユニット５０はその選択情報に基づき、表示画面の該当する撮影部位の歯のアイコンを点滅させる（ステップＳ２）。
【００５１】
続いて、撮影部位をマウス等の入力装置５７を用いて特定すると、制御ユニット５０は、表示画面の該当する撮影部位の歯のアイコンを点滅状態から点灯状態に変更させる（ステップＳ３）。
【００５２】
その後、コンピュータ装置５から特定した撮影部位に応じた撮影条件等の情報を通信ケーブル４からＸ線撮影装置本体２の装置本体制御装置２０に送る。さらに、コンピュータ装置５はＸ線撮影装置本体２の装置本体制御装置２０にＸ線撮影用検出器３に撮影待機状態にする待機命令を出すことを通知する（ステップＳ４）。装置本体制御部２０は、この通知により、Ｘ線撮影用検出器３が撮影待機状態にされたことを認識することができる。
【００５３】
続いて、コンピュータ装置５の制御ユニット５０は、Ｘ線撮影用検出器３に撮影待機状態に設定するための待機命令を与える（ステップＳ５）。Ｘ線撮影用検出器３は、コンピュータ装置５からの待機命令を受けるとＸ線撮影用検出器３のＣＣＤセンサを撮影可能な待機状態に設定する。
【００５４】
Ｘ線撮影装置本体２側の装置本体制御装置２０では、コンピュータ装置５からの送信があったか否か判断する（ステップＳ１１）。コンピュータ装置５からの送信がない場合には、ステップＳ１４に進み、照射ボタン２６か押されたか否か判断する。
【００５５】
一方、コンピュータ装置５からの送信があると、装置本体制御装置２０は受信した部位情報に基づく制御データにより、出力、撮影時間を設定する（ステップＳ１２）。そして、装置本体制御装置２０は、出力、撮影時間等の撮影条件のセットが終わるとＸ線の照射が可能として照射ＯＫフラグをセットする（ステップＳ１３）。
【００５６】
照射ボタン２６が押されると、照射ＯＫフラグがセットされているか否か判断され（ステップＳ１５）、照射ＯＫフラグがセットされていない場合には、Ｘ線照射はされずに、ステップＳ１１に戻り、コンピュータ装置５からの部位情報の送信を待つ。また、後述するように、Ｘ線が照射中はブザーが鳴動するので、照射ボタン２６を押してもブザーの鳴動等がなければ撮影者は、Ｘ線撮影装置本体２の装置本体制御装置２０が条件設定されていないか、Ｘ線撮影用検出器３が待機状態になっていないかが判る。
【００５７】
一方、照射ＯＫフラグがセットされていると、Ｘ線照射を行う（ステップＳ１６）。続いて、ブザーを鳴動させるとともにＸ線が照射中であることが判るようにランプを点灯させる（ステップＳ１７）。また、Ｘ線照射されると、コンピュータ装置５に照射中であることを知らせる情報が通信ケーブル４から与えられ、コンピュータ装置５の表示装置５６にＸ線照射中であることを表示させる（ステップＳ６）。尚、Ｘ線照射が終了するとＸ線照射中の表示は消される。そして、Ｘ線照射により、撮影部位にＸ線が照射されてＸ線像がＸ線撮影用検出器３に撮像され、コンピュータ装置５にその画像データが送られる。コンピュータ装置５側では、送られてきた画像データを取得し（ステップＳ７）、画像データを編集した後、メモリ５２に保存画面を格納し（ステップＳ８）、動作を終了する。
【００５８】
Ｘ線撮影装置本体２側では、Ｘ線の照射が終了すると、ブザーの停止、ランプの消灯など撮影の動作を停止し（ステップＳ１８）、動作を終了する。
【００５９】
上記した実施形態は、コンピュータ装置５とＸ線撮影装置本体２とが１対１に対応する例を示しているが、図８に示すように、第１チェアユニット１２１、第２チェアユニット１２２、第３チェアユニット１２３と複数の診療チェアを備え、診療チェアのそばにチェア用コンピュータ装置１１１、１１２、１１３を備え、このコンピュータ装置１１１、１１２、１１３により、部位の選択を行い、その選択をネットワーク１００で接続した撮影用コンピュータ装置５に与え、部位の最終特定は撮影用コンピュータ装置５で行うように構成できる。
【００６０】
すなわち、図８に示すように、このネットワークシステムは、診療室に、複数のチェアユニット１２１、１２２、１２３を備える。各チェアユニット１２１…は、歯科診療のための診療椅子、照明装置、うがいスタンド、診療器具等を載置するためのテーブル等を備える。そして、各チェアユニット１２１…ごとに、チェア用コンピュータ装置１１１…が設置されている。チェア用コンピュータ装置１１１…は、患者の電子カルテやＸ線画像等を表示画面（モニター）に表示して、ドクター（歯科医師）が操作して診療状況・診療方法等を患者に説明する。それぞれのチェアユニット１２１…には、受付係やドクター等が識別・管理できるように、例えば１番チェア、２番チェア、３番チェア、・・・のようにチェア番号が設定されている。
【００６１】
また、このネットワークシステムは、レントゲン室１３０に、Ｘ線撮影装置本体２とレントゲン室１３０の外のレントゲン室１３０近傍に撮影用コンピュータ装置５が設置されている。また、照射ボタン２６もレントゲン室１３０の外に配置されている。撮影用コンピュータ装置５は、撮影条件を設定する。また、コンピュータ装置５はＸ線撮影装置本体２のＸ線発生器２１から照射されＸ線撮影用検出器（図示せず）で検出したＸ線画像が与えられ、Ｘ線画像として表示すると共に、これらＸ線画像を患者ごとに管理・整理する。さらに、このネットワークシステムは、記憶装置１０１を備えており、記憶装置１０１には、患者ごとの電子カルテやＸ線画像等が記憶される。なお、記憶装置１０１は、撮影用コンピュータ装置５等に搭載してもよい。
【００６２】
このネットワークシステムにおいて、チェア用コンピュータ装置１１１…、撮影用コンピュータ装置５及び記憶装置１０１は、ＬＡＮに接続されている。そして、このＬＡＮを介して、各コンピュータ装置５、１１１、１１２、１１３及び記憶装置１０１は、それぞれの所定の信号及びデータ等を送受信できるようになっている。
【００６３】
このようなシステムにおいて、チェア用コンピュータ装置１１１…からも部位の選択を行うことができる、チェア用コンピュータ装置１１１…から部位の選択を行うと、撮影用コンピュータ装置５の表示画面６０には、選択された部位が点滅する図４に示す状態となる。撮影者は、被験者Ｏをレントゲン室１３０に呼ぶとともに、チェア用コンピュータ装置１１１…で選択した部位を撮影用コンピュータ装置５で特定し、その部位に応じた条件を装置本体制御装置２０に送り、その撮影条件に設定すると共に、Ｘ線撮影用検出器３のＣＣＤセンサを待機状態にする。その後、レントゲン室１３０に入室した被験者Ｏの口腔内部位に向けてＸ線を照射するように、Ｘ線照射筒の方向を調整する。
【００６４】
一方、口腔内部位を挟んでＸ線照射筒と対向する位置に、予めＸ線像を検出するためのＣＣＤセンサからなるＸ線撮影用検出器が位置決めされている。そして、照射ボタン２６を押すことにより、撮影部位にＸ線が照射されてＸ線像がＸ線撮影用検出器に撮像され、コンピュータ装置５に歯の画像データが送られる。その画像データを編集した後、記憶装置１０１に格納される。
【００６５】
図９は、更に、受付用コンピュータ装置１２０を備えたシステムである。このネットワークシステムは、来訪患者を受付ける受付スペースに、受付用コンピュータ装置１２０が設置されている。受付用コンピュータ装置１２０は、主に受付担当者や歯科衛生士等が操作して、来訪した患者の管理・整理等を行う。また、この受付用コンピュータ装置１２０においてもドクターが用いて、チェア用コンピュータ装置１１１…と同様に部位の選択を行うように構成することができる、受付用コンピュータ装置１２０から部位の選択を行うと、撮影用コンピュータ装置５の表示画面６０には、選択された部位が点滅する図４に示す状態となる。撮影者は、被験者Ｏをレントゲン室１３０に呼ぶとともに、受付用コンピュータ装置１２０で選択した部位を撮影用コンピュータ装置５で特定し、その部位に応じた条件を装置本体制御装置２０に送り、その撮影条件に設定すると共に、Ｘ線撮影用検出器３のＣＣＤセンサを待機状態にする。その後、レントゲン室１３０に入室した被験者Ｏの口腔内部位に向けてＸ線を照射するように、Ｘ線照射筒の方向を調整する。
【００６６】
一方、口腔内部位を挟んでＸ線照射筒と対向する位置に、予めＸ線像を検出するためのＣＣＤセンサからなるＸ線撮影用検出器が位置決めされている。そして、照射ボタン２６を押すことにより、撮影部位にＸ線が照射されてＸ線像がＸ線撮影用検出器に撮像され、コンピュータ装置５に歯の画像データが送られる。その画像データを編集した後、記憶装置１０１に格納される。
【００６７】
尚、上記した実施形態においては、Ｘ線撮影用検出器３としてＣＣＤセンサを用いたが、ＣＭＯＳセンサ、イメージングプレートを用いても良い。イメージングプレートを用いた場合には、待機状態に設定する動作は行わない。
【００６８】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００６９】
２  Ｘ線撮影装置本体
２０  装置本体制御装置
２６  照射ボタン
３  Ｘ線撮影用検出器
４  通信ケーブル
５  コンピュータ装置
５６  表示装置
５７  入力装置
３１  ケーブル
【図１】
0005712374.tif 000002
【図２】
0005712374.tif 000003
【図３】
0005712374.tif 000004
【図４】
0005712374.tif 000005
【図５】
0005712374.tif 000006
【図６】
0005712374.tif 000007
【図７】
0005712374.tif 000008
【図８】
0005712374.tif 000009
【図９】
0005712374.tif 000010